(57)【特許請求の範囲】
【請求項１】
媒体に記録を行う記録ヘッドと、
前記記録ヘッドを備える装置本体の上部において回動可能に設けられ、回動することにより前記装置本体を開閉可能な回動体と、
前記記録ヘッドを備えるとともに、前記回動体を回動させて前記装置本体を開いた状態において前記記録ヘッドから吐出されるインクが収容されたインクカートリッジを着脱可能とするように構成され、第１の方向に移動可能に設けられるキャリッジと、
前記キャリッジの移動領域内に設定された前記キャリッジの一時停止領域内に前記キャリッジが停止した際に、前記キャリッジにおいて前記第１の方向に沿って複数設けられた前記インクカートリッジのうち交換すべきインクカートリッジを示す目印部と、
前記記録ヘッドにより記録が行われた媒体が排出される媒体排出口と、を備え、
前記目印部が、前記媒体排出口を正面視した際に視認可能な位置に設けられており、
前記記録ヘッドより前記媒体排出口側に位置し、媒体を前記媒体排出口側に向けて排出する排出手段を備え、
前記排出手段は、第１ローラーと、当該第１ローラーに上から接する第２ローラーと、
を備え、
前記第２ローラーは、前記装置本体における前記第１の方向に延びるフレームに支持されており、
前記目印部が、前記フレームと一体的に形成されている、
ことを特徴とする記録装置。
【請求項２】
請求項１に記載の記録装置であって、前記目印部が、前記キャリッジより前記媒体排出口側に設けられている、
ことを特徴とする記録装置。
【請求項３】
媒体に記録を行う記録ヘッドと、
前記記録ヘッドを備える装置本体の上部において回動可能に設けられ、回動することにより前記装置本体を開閉可能な回動体と、
前記記録ヘッドを備えるとともに、前記回動体を回動させて前記装置本体を開いた状態において前記記録ヘッドから吐出されるインクが収容されたインクカートリッジを着脱可能とするように構成され、第１の方向に移動可能に設けられるキャリッジと、
前記キャリッジの移動領域内に設定された前記キャリッジの一時停止領域内に前記キャリッジが停止した際に、前記キャリッジにおいて前記第１の方向に沿って複数設けられた前記インクカートリッジのうち交換すべきインクカートリッジを示す目印部と、
前記記録ヘッドにより記録が行われた媒体が排出される媒体排出口と、を備え、
前記目印部が、前記キャリッジより前記媒体排出口側に設けられており、
前記記録ヘッドより前記媒体排出口側に位置し、媒体を前記媒体排出口側に向けて排出する排出手段を備え、
前記排出手段は、第１ローラーと、当該第１ローラーに上から接する第２ローラーと、
を備え、
前記第２ローラーは、前記装置本体における前記第１の方向に延びるフレームに支持されており、
前記目印部が、前記フレームと一体的に形成されている、
ことを特徴とする記録装置。
【請求項４】
請求項１から請求項３のいずれか１項に記載の記録装置であって、前記目印部の表示面が、鉛直方向に沿った面を成すとともに前記媒体排出口側を向いている、
ことを特徴とする記録装置。
【請求項５】
請求項１から請求項４のいずれか１項に記載の記録装置であって、前記回動体に設けられて前記回動体とともに回動する操作パネルユニットを備え、
前記回動体は、スキャナユニットであり、
前記操作パネルユニットは、前記スキャナユニットが閉じた状態において前記記録装置の前面を構成するとともに、当該操作パネルユニットの下縁部が、前記媒体排出口の上縁部を形成する、
ことを特徴とする記録装置。
【請求項６】
請求項１から５のいずれか１項に記載の記録装置であって、前記キャリッジの周囲において前記媒体排出口側に、装着されるべきインクカートリッジのインク色を示す表示マークが設けられ、
前記目印部が、前記表示マークを指し示す、
ことを特徴とする記録装置。
【請求項７】
請求項６に記載の記録装置であって、前記目印部は、交換すべきインクカートリッジを指し示す様に突出する突出部を有し、
前記表示マーク及び前記目印部を視認した際に、前記突出部と前記表示マークとがオーバーラップする、
ことを特徴とする記録装置。
【請求項８】
請求項１から７のいずれか１項に記載の記録装置であって、前記目印部の表示面は、該表示面に凹状又は凸状に形成された目印を有する、ことを特徴とする記録装置。
【発明の詳細な説明】
【技術分野】
【０００１】
本発明は、ファクシミリやプリンターに代表される記録装置に関する。
【背景技術】
【０００２】
従来では、特許文献１に示す如く、複数の異なる色のインクカートリッジを個別に格納するキャリッジを備えるインクジェットプリンターにおいて、プリンター本体の外観を構成するハウジングにインクカートリッジ交換用の開口部を設け、この開口部からインクカートリッジの脱着を行う様に構成されている。
【０００３】
そして上記開口部の縁には、インクカートリッジ交換位置をユーザーが目視で確認するための目印部が前記開口部に設けられている。即ち、インク切れとなっているインクカートリッジが複数装着されたインクカートリッジのうちいずれのものであるかをユーザーに知らせる為に、前記開口部に目印部を設けた上で、プリンターの制御部が、交換すべきインクカートリッジが前記目印部によって指し示されるように、キャリッジを動かして停止させるようになっている。
【０００４】
ところで記録装置においては、記録機能の他に、画像読取機能を備えた所謂複合機と呼ばれるものがある。即ち、記録用紙に記録を行う記録装置の本体上部に、スキャナユニットが設けられている。
【０００５】
スキャナユニットは、記録装置本体に対して回動可能に設けられ、回動することにより、開姿勢と閉姿勢とを切り換え可能となっている。スキャナユニットは、通常使用時には閉姿勢で保持されるが、例えば記録装置本体内部で紙ジャムが生じた場合のジャム処理の際や、インクカートリッジ交換の際に、スキャナユニットが開かれる様になっている（例えば、特許文献２）。
【先行技術文献】
【特許文献】
【０００６】
【特許文献１】特開２００３−６３０３８号公報
【特許文献２】特開２０１１−２４２９１０号公報
【発明の概要】
【発明が解決しようとする課題】
【０００７】
特許文献１に示される記録装置では、目印部がハウジング上部に設けられている。このため、特許文献２に示される様な大きく開放できないスキャナユニットを装置上部に備える場合、ユーザーが目印部を視認する際にスキャナユニットが邪魔になり、目印部の視認性が低下するといった問題が生じる。
【０００８】
そこで本発明はこの様な状況に鑑みなされたものであり、その目的は、交換すべきインクカートリッジを示す為の目印部の、より一層の視認性向上を図ることにある。
【課題を解決するための手段】
【０００９】
上記課題を解決する為の、本発明の第１の態様に係る記録装置は、媒体に記録を行う記録ヘッドと、前記記録ヘッドを備えるとともに、当該記録ヘッドから吐出されるインクが収容されたインクカートリッジが着脱可能に構成された、第１の方向に移動可能に設けられるキャリッジと、前記キャリッジの移動領域内に設定された前記キャリッジの一時停止領域内に前記キャリッジが停止した際に、前記キャリッジにおいて前記第１の方向に沿って複数設けられた前記インクカートリッジのうち交換すべきインクカートリッジを示す目印部と、を備え、記録が行われた媒体が排出される媒体排出口が装置前面に構成されるとともに、前記目印部が、前記媒体排出口を正面視した際に視認可能な位置に設けられていることを特徴とする。
【００１０】
本態様によれば、交換すべきインクカートリッジを示す目印部が、媒体排出口の正面視において視認可能な位置に設けられているので、ユーザーは媒体排出口を正面視することにより、記録装置の他の構成要素によって視線を遮られることなく、容易に前記目印部を視認することができる。
【００１１】
本発明の第２の態様は、第１の態様において、前記目印部が、前記キャリッジに対し装置前方側に設けられていることを特徴とする。  
本態様によれば、前記目印部が、前記キャリッジに対し装置前方側に設けられているので、前記目印部の視認性がより一層向上する。
【００１２】
本発明の第３の態様は、媒体に記録を行う記録ヘッドと、前記記録ヘッドを備えるとともに、当該記録ヘッドから吐出されるインクが収容されたインクカートリッジが着脱可能に構成された、第１の方向に移動可能に設けられるキャリッジと、前記キャリッジの移動領域内に設定された前記キャリッジの一時停止領域内に前記キャリッジが停止した際に、前記キャリッジにおいて前記第１の方向に沿って複数設けられた前記インクカートリッジのうち交換すべきインクカートリッジを示す目印部と、を備え、記録が行われた媒体が排出される媒体排出口が装置前面に構成されるとともに、前記目印部が、前記キャリッジに対し装置前方側に設けられていることを特徴とする。
【００１３】
本態様によれば、交換すべきインクカートリッジを示す目印部が、前記キャリッジに対し装置前方側に設けられているので、装置前方側から前記目印部を視認するユーザーからして前記目印部が視認し易くなり、容易に前記目印部を視認することができる。
【００１４】
本発明の第４の態様は、第１から第３の態様のいずれかにおいて、前記目印部の表示面が、鉛直方向に沿った面を成すとともに装置前方側を向いていることを特徴とする。  
本態様によれば、前記目印部の表示面が、鉛直方向に沿った面を成すとともに装置前方側を向いているので、装置前方側から前記目印部を視認する際の視認性が良好となる。
【００１５】
本発明の第５の態様は、前記記録ヘッドを備える装置本体の上部において回動可能に設けられ、回動することにより開閉可能なスキャナユニットと、前記スキャナユニットに設けられて前記スキャナユニットとともに回動する操作パネルユニットと、を備え、前記操作パネルユニットは、前記スキャナユニットが閉じた状態において装置前面を構成するとともに、当該操作パネルユニットの下縁が、前記媒体排出口の上縁を形成することを特徴とする。
【００１６】
本態様によれば、スキャナユニットが閉じた状態において装置前面を構成するとともに下縁が媒体排出口を形成する操作パネルユニットが、スキャナユニットに設けられているので、スキャナユニットを開くと、媒体排出口の上方が大きく開放された状態となる。従ってスキャナユニットを開いた状態において、前記目印部がより一層視認し易くなる。
【００１７】
本発明の第６の態様は、第１から第５の態様のいずれかにおいて、前記記録ヘッドに対し装置前方側に位置し、媒体を装置前方側に向けて排出する排出手段を備え、前記排出手段は、第１ローラーと、当該第１ローラーに上から接する第２ローラーと、を備え、前記第２ローラーは、装置の左右方向に延びるフレームに支持されており、前記目印部が、前記フレームと一体的に形成されていることを特徴とする。
【００１８】
本態様によれば、前記目印部が、前記排出手段を構成する第２ローラーを支持するフレームに一体的に形成されているので、前記目印部をそれ単体で別途設ける必要がなく、装置の低コスト化を図ることができる。
【００１９】
本発明の第７の態様は、第１から第６の態様のいずれかにおいて、前記キャリッジの周囲において装置前方側に、装着されるべきインクカートリッジのインク色を示す表示マークが設けられ、前記目印部が、前記表示マークを指し示すことを特徴とする。
【００２０】
本態様によれば、前記キャリッジの周囲において装置前方側に、装着されるべきインクカートリッジのインク色を示す表示マークが設けられ、前記目印部が前記表示マークを指し示すので、交換すべきインクカートリッジがより一層容易に把握できる。
【００２１】
本発明の第８の態様は、第７の態様において、前記目印部は、交換すべきインクカートリッジを指し示す様に突出する突出部を有し、前記表示マーク及び前記目印部を視認した際に、前記突出部と前記表示マークとがオーバーラップすることを特徴とする。
【００２２】
本態様によれば、前記目印部は、交換すべきインクカートリッジを指し示す様に突出する突出部を有し、前記表示マーク及び前記目印部を視認した際に、前記突出部と前記表示マークとがオーバーラップするので、交換すべきインクカートリッジの特定がより一層容易となる。
【００２３】
本発明の第９の態様は、第１から第８の態様のいずれかにおいて、前記目印部の表示面は、該表示面に凹状又は凸状に形成された目印を有することを特徴とする。  
本態様によれば、前記目印部の表示面は、該表示面に凹状又は凸状に形成された目印を有するので、前記目印部の視認性がより一層向上する。
【図面の簡単な説明】
【００２４】
【図１】本発明に係るインクジェットプリンターの外観斜視図（スキャナユニット閉状態）。
【図２】本発明に係るインクジェットプリンターの外観斜視図（スキャナユニット開状態）。
【図３】本発明に係るインクジェットプリンターの正面図（スキャナユニット開状態）。
【図４】本発明に係るインクジェットプリンターの側断面概略図（スキャナユニット開状態）。
【図５】キャリッジ及び目印部の斜視図。
【図６】キャリッジ及び目印部の正面図（図３の拡大図）
【発明を実施するための形態】
【００２５】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００２６】
図１は、本発明に係る記録装置の一例としてのインクジェットプリンター１の外観斜視図（スキャナユニット３閉状態）、図２は同外観斜視図（スキャナユニット３開状態）、図３は同正面図（スキャナユニット開状態）、図４は同側断面概略図（スキャナユニット３開状態）、図５はキャリッジ２８及び目印部３７の斜視図、図６は同正面図である。尚、図４は断面概略図であり、説明に必要な構成要素は適宜図示を省略している。
【００２７】
図１〜図４において、インクジェットプリンター１は、媒体の一例としての記録用紙にインクジェット記録を行う記録部（装置本体）２の上部に回動体としてのスキャナユニット３を備えており、即ちインクジェット記録機能に加えてスキャナ機能を備える複合機として構成されている。
【００２８】
記録部２は、インクジェットプリンター１の装置本体を構成し、スキャナユニット３は、記録部２に対して回動可能に設けられており、回動することにより、閉じた状態（図１）と開いた状態（図２、図３、図４）とをとり得る。尚、スキャナユニット３の回動軸は図４に符号３ａで示されている。
【００２９】
そしてスキャナユニット３が開くことにより、キャリッジ２８に搭載されたインクカートリッジ３２Ａ、３２Ｂ、３２Ｃ、３２Ｄの交換作業や、紙ジャムが生じた際のジャム処理作業（用紙の取り除き作業）などが行える様になっている。
【００３０】
スキャナユニット３が開いた状態は、アーム（支柱、或いは衝立、或いは支持部材とも言う）１７により維持される。アーム１７は、その一端側（上側）が、スキャナユニット３に対してアーム取付部１４（図３、図４）を介して回動可能に支持されている。そしてスキャナユニット３が開いた状態において、アーム１７の他端側（下側）の被支持部１７ｂが、記録部２に設けられたアーム支持部２ｃに支持されることにより、スキャナユニット３の開いた状態が維持される様になっている。
【００３１】
尚、被支持部１７ｂの上部には被支持部１７ｃが設けられており、スキャナユニット３を半開きの状態で一旦止めることができる様になっている。これにより、スキャナユニット３が全開状態（図２、図３、図４）から全閉状態（図１）へと一気に回動することを防止でき、衝突音の発生や部材の破損などを防止できる様になっている。
【００３２】
スキャナユニット３において上部のカバー４は開閉可能なカバーであり、当該カバー４を開放することにより、スキャナユニット３の図示しない原稿台が表れる様になっている。
【００３３】
装置前面において符号６は記録が行われて排出された用紙を受ける排紙受けトレイである。排紙受けトレイ６は引き出し式に構成され、図１、図２、図３は収納された状態を示している。
【００３４】
符号９は、電源ボタンや各種印刷設定・記録実行を行う操作ボタン、印刷設定内容や印刷画像のプレビュー表示などを行う表示部、等を備えて成る操作パネルであり、符号８は当該操作パネルを備えるパネルユニットである。操作パネル９において符号１１、１２は点灯と点滅が可能なインジケーターであり、インジケーター１２がインク切れを示しインジケーター１１が紙ジャム発生或いは用紙切れを示すインジケーターとして機能する。符号１０は、インクカートリッジ交換時、或いは紙ジャム処理終了時、或いは用紙補給時に押下する操作ボタンである。
【００３５】
以上の操作パネル９を備えたパネルユニット８は、スキャナユニット３に設けられており、スキャナユニット３の回動に従ってスキャナユニット３と一体に変位（回動）する様になっている。
【００３６】
符号２８はキャリッジであり、このキャリッジ２８の底部に記録ヘッド３１が設けられている。キャリッジ２８が第１の方向としての用紙幅方向に移動する過程において記録ヘッド３１からインクが吐出されることにより、用紙に記録が実行される。
【００３７】
図４に示す様に、記録ヘッド３１と対向する位置には用紙を支持する支持部材３３が設けられ、この支持部材３３の上流側には用紙搬送手段を構成する搬送駆動ローラー２５と搬送従動ローラー２６とが設けられている。
【００３８】
搬送駆動ローラー２５と搬送従動ローラー２６の更に上流側には、用紙給紙部を構成する給送ローラー２２と用紙支持部２１とが設けられている。用紙支持部２１は上部の揺動軸（不図示）を中心に揺動することにより、載置されている用紙を給送ローラー２２に圧接させる姿勢と離間させる姿勢とを切り換える。給送ローラー２２は、回転することにより、用紙を下流側の搬送駆動ローラー２５と搬送従動ローラー２６とに向けて給送する。
【００３９】
記録ヘッド３１及び支持部材３３の下流側には、記録の行われた用紙を排紙受けトレイ６に向けて排出する排出手段を構成する、第１ローラーとしての排出駆動ローラー３４と、当該排出駆動ローラー３４に接して従動回転する、第２ローラーとしての排出従動ローラー３５とが設けられている。排出従動ローラー３５は、用紙幅方向（装置の左右方向、図４の紙面表裏方向）に延びるフレーム部材３６において、用紙幅方向に沿って適宜の間隔で支持されている。
【００４０】
以上の構成を備えた本発明に係るインクジェットプリンター１において、スキャナユニット３が閉じた状態では、操作パネル９を備えたパネルユニット８が、装置前面を構成している。符号８ａはパネルユニット８（操作パネル９）のパネル面を示しており、このパネル面８ａは記録部２の周囲を構成する面のうち排紙口５が形成された前面２ｄとともに、装置前面を構成する。尚、本実施形態において装置前面は略垂直面であり、パネル面８ａと前面２ｄはほぼ面一となる。
【００４１】
そしてスキャナユニット３が閉じた状態では、パネルユニット８の下縁８ｂが、排紙口５を形成する。ここで、パネルユニット８はスキャナユニット３に設けられており、スキャナユニット３ともに回動するので、スキャナユニット３が開くと、図２、図３、図４に示す様に排紙口５から装置奥方の上方が全て開放された状態となる。
【００４２】
図３において符号Ａは、スキャナユニット３を開いた状態においてユーザーが装置内部に手を差し入れることが可能な空間（以下「作業空間」と言う）を示している。図示する様にスキャナユニット３が開いた状態では作業空間Ａにパネルユニット８が存在せず、これにより装置前方から奥方に向かって作業空間Ａは大きく確保される。特に、図４において符号８’はスキャナユニット３が閉じた状態でのパネルユニット８の占める領域を示しているが、この領域がスキャナユニット３を開くことで、完全に開放される。
【００４３】
これにより、スキャナユニット３の開き角度を大きく確保することなく、紙ジャム処理やインクカートリッジ交換等の作業の作業用スペースを大きく確保することができ、その作業性をより一層向上させることができる。また、排紙受けトレイ６の上方が大きく開放されるので、小型サイズの用紙などを容易に取り出すことができる。
【００４４】
特に本実施形態では、排紙従動ローラー３５を支持するフレーム部材３６の上縁３６ａが、図３に示す様に装置正面視において当該フレーム部材３６ａより装置奥方領域へ装置前方側からアクセスする際のアクセス口下縁（作業空間Ａの下縁）を形成する。従って、スキャナユニット３を開いた際に記録部（装置本体）２において排紙口５から装置奥方に位置するフレーム部材３６までの媒体搬送経路の上方には何らの構成要素も存在しない。これにより、特に紙ジャム処理を行う際の作業性がより一層向上している。
【００４５】
加えて本実施形態では、排紙口５の左右を構成する右側構造部２ａ及び左側構造部２ｂのそれぞれの上面高さが装置前方側に向かって低くなる。例えば、右側構造部２ａの上面は、図２に示す様に後方上面部２ｅと、後方上面部２ｅから装置前方側に向かって下がる傾斜面２ｆと、後方上面部２ｅより低い前方上面部２ｇと、で構成されている。従ってスキャナユニット３を開いた際に、装置前方側が大きく開き、より一層作業空間Ａに手を差し入れ易くなる。
【００４６】
続いてキャリッジ２８においてキャリッジ２８の移動方向に沿って複数設けられたインクカートリッジ（３２Ａ〜３２Ｄ）のうち交換すべきインクカートリッジを示す為の目印部３７について説明する。
【００４７】
目印部３７は、図５及び図６に示す様にフレーム部材３６に設けられている。フレーム部材３６は本実施形態では樹脂材料により形成されており、目印部３７は、樹脂成形によってフレーム部材３６に一体的に形成されている。これにより目印部３７は、低コストに設けられる。
【００４８】
目印部３７は、以下の様に利用される。例えば、インク切れを示すインジケーター１１が点灯すると、ユーザーはスキャナユニット３を開く。このときキャリッジ２８はホームポジション（図２において右側）にあり、ハウジングの後方上面部２ｅ（図２）下側に隠れた位置にある。この状態でユーザーが操作ボタン１０を押下すると、キャリッジ２８は図示しない制御部の制御のもと、交換すべきインクカートリッジが目印部３７によって指し示される位置に移動する。
【００４９】
図５、図６は、交換すべきインクカートリッジが、一例として符号３２Ｂで示すインクカートリッジである場合を示しており、このインクカートリッジ３２Ｂ（表示マーク２９Ｂ）を目印部３７が指し示す様に、キャリッジ２８が停止する。ユーザーはこれにより、複数装着されたインクカートリッジのうち、インクカートリッジ３２Ｂがインク切れとなり、交換すべきであることを把握する。
【００５０】
この様に、目印部３７によって交換すべきインクカートリッジを指し示す為のキャリッジ２８の停止領域が、図６において符号Ａで示す一時停止領域である。尚、図６の一時停止領域Ａの左端は、目印部３７が表示マーク２９Ｄ（後述）を指し示すときのキャリッジ２８の左側面位置であり、一時停止領域Ａの右端は、目印部３７が表示マーク２９Ａ（後述）を指し示すときのキャリッジ２８の右側面位置である。
【００５１】
次いでユーザーが操作ボタン１０を押下すると、キャリッジ２８は、インクカートリッジを交換する為の交換位置（図６において右側：目印部３７がいずれのインクカートリッジも指し示さない位置）へ移動する。ユーザーはこの交換位置で、インクカートリッジを交換し、その後再び操作ボタン１０を押下すると、キャリッジ２８はホームポジションに戻り、必要なインク吸引動作を行う。
【００５２】
以上が目印部３７の利用方法であり、以下、目印部３７の特徴について更に詳説する。先ず、本実施形態において目印部３７は、排紙口５を正面視した際に視認可能な位置に設けられている。図３はスキャナユニット３を開いた状態であるが、この状態で目印部３７が視認可能であることは図示する通りである。そしてスキャナユニット３を閉じた状態においてパネルユニット８の下縁８ｂは、高さ位置Ｓに位置する。このため、ユーザーは排紙口５を正面視することにより、スキャナユニット３の開閉状態に拘わらず、スキャナユニット３によって視線を遮られることなく容易に目印部３７を視認することができる。
【００５３】
また本実施形態では、目印部３７はキャリッジ２８に対し装置前方側に位置しているので、目印部３７がより一層視認し易い。  
加えて目印部３７の表示面３７ａが、鉛直方向に沿った面を成すとともに装置前方側を向いているので、排紙口５を正面視した際の視認性が良好となる。尚、表示面３７ａを鉛直方向に沿った面で形成するほか、上向き傾斜となる様に形成しても良い。
【００５４】
尚、目印部３７は、排紙口５を正面視した際に視認可能であることの他、少なくともキャリッジ２８に対し装置前方側に位置していれば、目印部３７を視認する際にスキャナユニット３の影響が小さくて済み、容易に視認することができる。従って目印部３７の表示面３７ａは、鉛直面や上向き傾斜面に限らず、水平方向に沿った面で形成しても良い。この場合、目印部３７ａは排紙口５の正面視では視認できないが、スキャナユニット３の開状態において前方斜め上方から、スキャナユニット３によって視線を遮られることなく容易に視認することができる。
【００５５】
また上述の通り、パネルユニット８はスキャナユニット３に設けられており、スキャナユニット３が開かれた状態ではパネルユニット８も上方に移動し、フレーム部材３６より装置前方側が大きく開放されるので、従って目印部３７をより一層容易に視認することができる。
【００５６】
また本実施形態では、キャリッジ２８の周囲を構成する面において装置前方側に、装着されるべきインクカートリッジのインク色を示す表示マーク２９Ａ〜２９Ｄが設けられている。この表示マーク２９Ａ〜２９Ｄは、例えばインクカートリッジ３２Ａがブラックの場合、表示マーク２９Ａがブラックの塗り潰しで形成されている。また例えばインクカートリッジ３２Ｂがイエローの場合、表示マーク２９Ｂがイエローの塗り潰しで形成されている。また例えばインクカートリッジ３２Ｃがマゼンタの場合、表示マーク２９Ｃがマゼンタの塗り潰しで形成されている。また例えばインクカートリッジ３２Ｄがシアンの場合、表示マーク２９Ｄがシアンの塗り潰しで形成されている。
【００５７】
この様にキャリッジ２８にはインクカートリッジに対応するインク色で示される表示マーク２９Ａ〜２９Ｄが設けられており、目印部３７がこの表示マーク２９Ａ〜２９Ｄを指し示すことから、交換すべきインクカートリッジの色がより明確に把握できる。
【００５８】
更に本実施形態では、目印部３７は、交換すべきインクカートリッジを指し示す様に突出する突出部３７ｂを有し、表示マーク２９Ａ〜２９Ｄ及び目印部３７を視認した際に、突出部３７ａと表示マーク２９Ａ〜２９Ｄとがオーバーラップするので、交換すべきインクカートリッジの特定がより一層容易となる。尚、突出部３７ｂは、本実施形態では上方を指し示す様に形成されているが、逆に下方を指し示す様に形成されていても良い。この場合、表示マーク２９Ａ〜２９Ｄは目印部３７の下側に位置することとなる。
【００５９】
更に本実施形態では、目印部３７の表示面３７ａに、凹状に形成された目印３７ｃを有するので、目印部３７の視認性がより一層向上する。尚、本実施形態では、目印３７ｃは滴の形状にスラッシュを付した、インク切れをイメージさせるマークにより形成されている。本実施形態では、この目印３７ｃは凹みにより形成されているが、突起で形成されていても良い。
【００６０】
以上説明した各実施形態は一例であり、本発明がこれら各実施形態に限られないことは言うまでもない。例えば、上記実施形態に係るインクジェットプリンター１は、上部にスキャナユニット３を備えた所謂複合機として構成されているが、スキャナユニット３を備えない所謂単機能機であっても良い。
【００６１】
更に、上記各実施形態では本発明を記録装置の一例としてのインクジェットプリンターに適用したが、その他液体噴射装置一般に適用することも可能である。  
ここで、液体噴射装置とは、インクジェット式記録ヘッドが用いられ、該記録ヘッドからインクを吐出して被記録媒体に記録を行うプリンター、複写機およびファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【００６２】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【符号の説明】
【００６３】
１  インクジェットプリンター、２  記録部（装置本体）、２ａ  右側構造部、２ｂ  左側構造部、２ｃ  アーム支持部、２ｄ  前面、２ｅ  後方上面部、２ｆ  傾斜面、２ｇ  前方上面部、３  スキャナユニット、３ａ  回動軸、４  カバー、５  排紙口、６  排紙受けトレイ、８  パネルユニット、８ａ  パネル面、８ｂ  下縁、９  操作部、１０  操作ボタン、１１  インジケーター、１２  インジケーター、１４  アーム取付部、１７  アーム、１７ａ  回動軸、１７ｂ  被支持部、２１  用紙支持部、２２  給送ローラー、２５  搬送駆動ローラー、２６  搬送従動ローラー、２８  キャリッジ、２９Ａ〜２９Ｄ  表示マーク、３１  記録ヘッド、３２Ａ〜３２Ｄ  インクカートリッジ、３３  支持部材、３４  排出駆動ローラー、３５  排出従動ローラー、３６  フレーム部材、３７  目印部、３７ａ  表示面、３７ｂ  突起、３７ｃ  目印
【図１】
0005928692.tif 000002
【図２】
0005928692.tif 000003
【図３】
0005928692.tif 000004
【図４】
0005928692.tif 000005
【図５】
0005928692.tif 000006
【図６】
0005928692.tif 000007